(57)【要約】【課題】金属端子の縁の一部が脱落しにくいコネクタ及び電子機器を提供する。【解決手段】カードコネクタ１０は、基板１１と、基板１１上に設けられ、基板１１の縁から一方向に延伸するカードコネクタ端子１２とカードコネクタ端子１２の一方向に延びる縁部（端子縁１２ａ）を側方及び上方から被覆する絶縁部材１３と、を備える。【選択図】図１
2009158310.tif 000002
【特許請求の範囲】
【請求項１】
基板と、
前記基板上に設けられ、前記基板の縁から一方向に延伸する金属端子と、
前記金属端子の前記一方向に延びる縁部を側方及び上方から被覆する絶縁部材と、
を備えることを特徴とするコネクタ。
【請求項２】
前記絶縁部材は、前記金属端子の前記一方向に延伸する両縁部のそれぞれを側方及び上方から被覆する、
ことを特徴とする請求項１に記載のコネクタ。
【請求項３】
前記絶縁部材の、前記金属端子上面における幅が一定である、
ことを特徴とする請求項１又は２に記載のコネクタ。
【請求項４】
前記絶縁部材の端に切り欠きが形成されている、
ことを特徴とする請求項１乃至３に記載のコネクタ。
【請求項５】
短冊状に形成された金属端子と、
前記金属端子の底面を被覆し、前記金属端子の長辺方向の縁部を側方及び上方から被覆する絶縁部材と、
を備えることを特徴とするコネクタ。
【請求項６】
基板と、
前記基板上に設けられ、前記基板の縁から一方向に延伸する金属端子と、
前記金属端子の前記一方向に延びる縁部を側方及び上方から被覆する絶縁部材と、
を備えることを特徴とする電子機器。
【請求項７】
短冊状に形成された金属端子と、
前記金属端子の底面を被覆し、及び前記金属端子の長辺方向の縁部を側方及び上方から被覆する絶縁部材と、
を備えることを特徴とする電子機器。
【請求項８】
基板と、
前記基板上に設けられ、前記基板の縁から一方向に延伸する金属端子と、
前記金属端子の前記一方向に延びる縁部を側方及び上方から被覆する絶縁部材と、
を備えることを特徴とするコネクタの端子構造。
【請求項９】
短冊状に形成された金属端子と、
前記金属端子の底面を被覆し、及び前記金属端子の長辺方向の縁部を側方及び上方から被覆する絶縁部材と、
を備えることを特徴とするコネクタの端子構造。
【発明の詳細な説明】
【技術分野】
【０００１】
本発明は、コネクタ、電子機器及び端子構造に関する。
【背景技術】
【０００２】
相手側コネクタが備える金属端子などの金属部材と接触することで、電気的に導通されるカードコネクタなどのコネクタが知られている。例えば、図７に示す平面図、及び、図７中の矢印VIII−VIII方向から見た図８に示す断面図で表されるカードコネクタ１０は、基板上に金属製のカードコネクタ端子１２と、カードコネクタ端子１２を保護するソルダーレジストなどの絶縁部材１３とが搭載されている。
【発明の開示】
【発明が解決しようとする課題】
【０００３】
図９は、図７、及び、図８に示すようなカードコネクタ１０が、相手側コネクタ２０と組み合わされるところを示す説明図である。図９に示すように、図７、及び、図８に示すようなカードコネクタ１０が、相手側コネクタ２０に対して歪んだ状態で接触すると、相手側コネクタ端子２１などの金属部材によって、カードコネクタ端子１２の縁に圧力がかかり、カードコネクタ端子１２の一部が脱落することがある。なお、このことは、カードコネクタ１０に限らず一般的なコネクタや、相手側コネクタ２０と直接電気的に接続される電子機器においてもあてはまる。
【０００４】
本発明は上記課題に鑑みてなされたものであって、相手側の金属部材と接触する際に、金属端子の一部が脱落しにくいコネクタ及び電子機器を提供することを目的とする。
【課題を解決するための手段】
【０００５】
上記課題を解決するために、本発明に係るコネクタは、基板と、前記基板上に設けられ、前記基板の縁から一方向に延伸する金属端子と、前記金属端子の前記一方向に延びる縁部を側方及び上方から被覆する絶縁部材と、を備えることを特徴とする。
【０００６】
また、本発明に係るコネクタは、短冊状に形成された金属端子と、前記金属端子の底面を被覆し、前記金属端子の長辺方向の縁部を側方及び上方から被覆する絶縁部材と、を備えることを特徴とする。
【０００７】
また、本発明に係る電子機器は、基板と、前記基板上に設けられ、前記基板の縁から一方向に延伸する金属端子と、前記金属端子の前記一方向に延びる縁部を側方及び上方から被覆する絶縁部材と、を備えることを特徴とする。
【０００８】
また、本発明に係る電子機器は、短冊状に形成された金属端子と、前記金属端子の底面を被覆し、及び前記金属端子の長辺方向の縁部を側方及び上方から被覆する絶縁部材と、を備えることを特徴とする。
【０００９】
また、本発明に係るコネクタの端子構造は、基板と、前記基板上に設けられ、前記基板の縁から一方向に延伸する金属端子と、前記金属端子の前記一方向に延びる縁部を側方及び上方から被覆する絶縁部材と、を備えることを特徴とする。
【００１０】
また、本発明に係るコネクタの端子構造は、短冊状に形成された金属端子と、前記金属端子の底面を被覆し、及び前記金属端子の長辺方向の縁部を側方及び上方から被覆する絶縁部材と、を備えることを特徴とする。
【００１１】
本発明によれば、基板の縁から一方向に延伸する金属端子の縁部を、絶縁部材が側方及び上方から被覆しているので、相手側の金属部材と接触する際に、金属端子の一部が脱落しにくくなる。
【００１２】
また、前記コネクタが備える絶縁部材は、前記金属端子の前記一方向に延伸する両縁部のそれぞれを側方及び上方から被覆してもよい。
【００１３】
また、前記コネクタが備える絶縁部材の、前記金属端子上面における幅が一定であってもよい。
【００１４】
また、前記コネクタが備える絶縁部材の端に切り欠きが形成されていてもよい。
【発明を実施するための最良の形態】
【００１５】
以下、本発明の実施形態について図面に基づき詳細に説明する。
【００１６】
図１は、本発明の一実施形態に係るコネクタであるカードコネクタ１０が、相手側コネクタ２０と組み合わされるところを示す説明図である。図２は、図１に示すカードコネクタ１０を示す平面図である。図３は、図２中の矢印III−III方向から見た断面図である。
【００１７】
図１〜図３に示すように、本実施形態に係るカードコネクタ１０は、基板１１と、金属製のカードコネクタ端子１２と、絶縁部材１３とを備えている。
【００１８】
基板１１は、樹脂などの絶縁体を含んで形成されている。基板１１上には、金属製の短冊状のカードコネクタ端子１２が設けられている。すなわち、基板１１は、カードコネクタ端子１２を支持している。カードコネクタ端子１２は、基板１１の縁（基板縁１１ａ）から一方向に延伸している。本実施形態では、基板縁１１ａは、カードコネクタ１０が相手側コネクタ２０と接触する縁である。
【００１９】
カードコネクタ端子１２は、カードコネクタ１０を、相手側コネクタ２０と電気的に接続するために、相手側コネクタ端子２１などの金属部材と接触する部材である。なお、カードコネクタ端子１２は、固形状の金属によって形成されてもよく、はんだなどの液状金属を固化したものによって形成されてもよい。
【００２０】
絶縁部材１３は、例えば、ソルダーレジストなどの液状の樹脂などの絶縁体を含んで形成されている。絶縁部材１３は、金属端子であるカードコネクタ端子１２の延伸している方向に伸びる縁部（端子縁１２ａ）を側方及び上方から被覆するように塗布されている。すなわち、絶縁部材１３は、相手側コネクタ２０と接触するカードコネクタ端子１２上の接触部１２ｂが露出されるように、基板１１、及び、カードコネクタ端子１２上に塗布されている。
【００２１】
なお、絶縁部材１３は、カードコネクタ端子１２の延伸している方向に伸びる両方の縁部（端子縁１２ａ）のそれぞれを側方及び上方から被覆してもよい。また、金属端子であるカードコネクタ端子１２上面における絶縁部材１３の幅が一定になるように、絶縁部材１３はカードコネクタ端子１２の縁部（端子縁１２ａ）を被覆してもよい。なお、絶縁部材１３は、カードコネクタ端子１２を把持する形状の樹脂を含んで形成された、固体状の絶縁体であっても、もちろん、構わない。
【００２２】
絶縁部材１３が、カードコネクタ端子１２の延伸している方向に伸びる縁部（端子縁１２ａ）を側方及び上方から被覆することによって、カードコネクタ端子１２上には、絶縁部材１３による凸部１３ａが形成される。凸部１３ａの側面と、相手側コネクタ２０と接触するカードコネクタ端子１２上の接触部１２ｂとによって、カードコネクタ１０には、相手側コネクタ２０を差し込むための凹部１４が形成される。
【００２３】
図１に示すように、カードコネクタ１０の凹部１４に相手側コネクタ２０が差し込まれ、金属製の相手側コネクタ端子２１と、カードコネクタ端子１２とが、接触部１２ｂで接触する。
【００２４】
カードコネクタ端子１２の縁部（端子縁１２ａ）は絶縁部材１３で被覆されているため、相手側コネクタ端子２１などの金属部材と、カードコネクタ端子１２の縁部（端子縁１２ａ）とは接触しない。また、凹部１４に相手側コネクタ２０が差し込まれることになるので、凹部１４が相手側コネクタ２０を差し込むためのガイドの役目も果たしている。
【００２５】
このようにして、本実施形態に係るカードコネクタ１０は、相手側コネクタ２０が備えるカードコネクタ端子１２などの金属部材と接触する際に、カードコネクタ端子１２の縁の一部が脱落しにくくなる。
【００２６】
なお、本発明は上記実施形態に限定されるものではない。
【００２７】
図４は、本発明の別の一実施形態に係るカードコネクタ１０を示す平面図である。図５は、図４中の矢印V−V方向から見た断面図である。
【００２８】
図４、及び、図５に示すように、本実施形態に係るカードコネクタ１０は、基板１１（第１の基板１１−１、及び、第２の基板１１−２）と、カードコネクタ端子１２と、絶縁部材１３とを備えている。
【００２９】
第１の基板１１−１、及び、第２の基板１１−２は、例えば、プリプレグや、プリント基板の基材などであり、樹脂などを含んで形成されている。
【００３０】
絶縁部材１３は、例えば、ソルダーレジストなどの液状の樹脂などの絶縁体を含んで形成されている。絶縁部材１３は、第１の基板１１−１上に塗布されている。なお、絶縁部材１３は固体状であってももちろん構わない。
【００３１】
カードコネクタ端子１２は、例えば、ソルダーレジストなどの絶縁部材１３が塗布されていない、第１の基板１１−１上の領域に流し込まれた、はんだなどの液体金属が固化することなどにより形成される。このようにして、カードコネクタ端子１２の表面（カードコネクタ端子表面１２ｃ）は、絶縁部材１３の表面（絶縁部材表面１３ｂ）と、略同一平面上にあることとなる。このようにして、第１の基板１１−１は、カードコネクタ端子１２を支持する。そして、カードコネクタ端子１２は、第１の基板１１−１の縁（基板縁１１ａ）から一方向に延伸している。カードコネクタ端子１２は、相手側コネクタ２０と、カードコネクタ１０とを電気的に接続するために、相手側コネクタ端子２１などの金属部材と接触するために設けられている。
【００３２】
第２の基板１１−２は、カードコネクタ端子表面１２ｃと絶縁部材表面１３ｂとの境界線Ｂ１を被覆するように、カードコネクタ端子表面１２ｃと絶縁部材表面１３ｂとで形成される平面上に搭載される。この第２の基板１１−２は、全体として一体的に形成されていてもよいが、複数の部材により構成されていてもよい。カードコネクタ端子１２、及び、絶縁部材１３で形成される端子層と、第２の基板１１−２とは、例えば、接着剤などにより接着される。
【００３３】
このように、カードコネクタ端子１２の縁部（端子縁１２ａ）は絶縁部材１３で被覆されているため、相手側コネクタ端子２１などの金属部材と、カードコネクタ端子１２の縁部（端子縁１２ａ）とは接触しない。
【００３４】
このようにして、本実施形態に係るカードコネクタ１０についても、相手側コネクタ端子２１などの金属部材と接触する際に、カードコネクタ端子１２の縁の一部が脱落しにくくなる。
【００３５】
なお、本発明は上記実施形態にも限定されるものではない。
【００３６】
例えば、図６の平面図に示すように、絶縁部材１３の端に切り欠き１５が形成されていてもよい。こうすることで、相手側コネクタ２０にカードコネクタ１０を差し込みやすくなる。
【００３７】
また、基板１１と、絶縁部材１３とが一体的に形成されていてもよい。すなわち、カードコネクタ１０は、短冊状に形成された金属製のカードコネクタ端子１２と、カードコネクタ端子１２の底面を被覆し、カードコネクタ端子１２の長辺方向の縁部を側方及び上方から被覆する絶縁部材１３とを備えていてもよい。
【００３８】
また、本発明を、カードコネクタ端子１２、及び、絶縁部材１３で形成される端子層と、基板１１とがそれぞれ交互に複数層積み重なるようなカードコネクタ１０に対して適用しても構わない。
【００３９】
また、カードコネクタ１０と相手側コネクタ２０とが複数の接触部１２ｂを介して接触してもよい。また、接触部１２ｂが、カードコネクタ１０が有する複数の面に形成されていても構わない。
【００４０】
また、本発明は、カードコネクタ１０以外のコネクタや、相手側コネクタ２０と直接電気的に接続される電子機器にも適用可能である。
【図面の簡単な説明】
【００４１】
【図１】本発明の一実施形態に係るカードコネクタが相手側コネクタと組み合わされるところを示す説明図である。
【図２】本発明の一実施形態に係るカードコネクタの平面図である。
【図３】図２中の矢印III−III方向から見た断面図である。
【図４】本発明の別の一実施形態に係るカードコネクタの平面図である。
【図５】図４中の矢印V−V方向から見た断面図である。
【図６】本発明の別の一実施形態に係るカードコネクタの平面図である。
【図７】従来のカードコネクタの平面図である。
【図８】図７中の矢印VIII−VIII方向から見た断面図である。
【図９】従来のカードコネクタが、相手側コネクタと組み合わされるところを示す説明図である。
【符号の説明】
【００４２】
１０  カードコネクタ、１１  基板、１１ａ  基板縁、１２  カードコネクタ端子、１２ａ  端子縁、１２ｂ  接触部、１２ｃ  カードコネクタ端子表面、１３  絶縁部材、１３ａ  凸部、１３ｂ  絶縁部材表面、１４  凹部、１５  切り欠き、２０  相手側コネクタ、２１  相手側コネクタ端子、Ｂ１  境界線。
【図１】
2009158310.tif 000003
【図２】
2009158310.tif 000004
【図３】
2009158310.tif 000005
【図４】
2009158310.tif 000006
【図５】
2009158310.tif 000007
【図６】
2009158310.tif 000008
【図７】
2009158310.tif 000009
【図８】
2009158310.tif 000010
【図９】
2009158310.tif 000011